(57)【要約】      （修正有）【課題】箱が運び込まれた引っ越し先において、余計な手間や労力や時間を掛けなくても、任意の荷物が詰め込まれた箱を発見できるようにする携帯型情報収集端末装置を、提供する。【解決手段】携帯型情報収集端末装置１０は、電子タグから無線にて受信した箱識別情報及び箱属性識別情報と、作業員が指定した部屋識別情報，荷物種類識別情報，及び、荷物画像データのファイル名とが、入力されると、新たな荷物識別情報を生成して、これらを荷物情報として、メモリーカードＭＣに蓄積する。また、携帯型情報収集端末装置１０は、荷物種類識別情報が作業員によって指定された際には、その荷物種類識別情報を検索条件としてメモリーカードＭＣ内を検索し、検出した荷物情報の箱属性識別情報に対応する箱形態画像データに基づいて、箱形態画像を表示装置１０ｊに表示する。【選択図】図１
2006206328.tif 000002
【特許請求の範囲】
【請求項１】
箱が有する電子タグに対して所定距離以下に接近した場合に、その箱を識別するための箱識別情報をこの電子タグから無線にて受信する受信部，
前記受信部に対して前記箱識別情報を発信した電子タグを有する箱に対して詰め込まれた荷物を定義する荷物情報を受け付ける情報入力部，
前記受信部が受信した箱識別情報と前記情報入力部において受け付けられた荷物情報とを対応付けて記憶する記憶部，
前記記憶部内の前記荷物情報のうちの何れかを操作者に選択させる選択部，
前記選択部において選択された前記荷物情報に対応する箱識別情報を前記記憶部内の前記各箱識別情報の中から特定する特定部，及び、
前記特定部により特定された箱識別情報を有する電子タグに対し、前記受信部が前記所定距離以下に接近した場合に警告を出力する出力部
を備えることを特徴とする携帯型情報収集端末装置。
【請求項２】
前記選択部は、
荷物の種類を定義する荷物種類情報のうちの何れかを操作者に指定させ、
指定された荷物種類情報に対応する荷物情報を前記記憶部内の前記各荷物情報の中から抽出し、抽出した各荷物情報のうちの何れかを操作者に選択させる
ことを特徴とする請求項１記載の携帯型情報収集端末装置。
【請求項３】
他の携帯型情報収集端末装置の記憶部に記録される荷物情報及び箱識別情報を取得する取得部，及び、
前記取得部によって取得された荷物情報及び箱識別情報を、前記記憶部内の荷物情報及び箱識別情報に対してマージするマージ部
とを更に備える請求項１又は２記載の携帯型情報収集端末装置。
【請求項４】
携帯型情報収集端末を、
箱が有する電子タグに対してアンテナが所定距離以下に接近した場合に、その箱を識別するための箱識別情報をこの電子タグからアンテナ及び受信装置を介して受信する受信手段，
前記受信手段に対して前記箱識別情報を発信した電子タグを有する箱に対して詰め込まれた荷物を定義する荷物情報を入力装置において受け付ける情報入力手段，
前記受信手段が受信した箱識別情報と前記情報入力手段において受け付けられた荷物情報とを対応付けて記憶装置に記憶する記憶手段，
前記記憶装置内の前記荷物情報の中から選択された荷物情報を前記入力装置において受け付ける選択手段，
前記選択手段において受け付られた荷物情報に対応する箱識別情報を前記記憶装置内の前記各箱識別情報の中から特定する特定手段，及び、
前記特定手段により特定された箱識別情報を有する電子タグに対し、前記アンテナが前記所定距離以下に接近した場合に警告を出力する出力手段
として機能させる
ことを特徴とするプログラム。
【請求項５】
携帯型情報収集端末を、
箱が有する電子タグに対してアンテナが所定距離以下に接近した場合に、その箱を識別するための箱識別情報をこの電子タグからアンテナ及び受信装置を介して受信する受信手段，
前記受信手段に対して前記箱識別情報を発信した電子タグを有する箱に対して詰め込まれた荷物を定義する荷物情報を入力装置において受け付ける情報入力手段，
前記受信手段が受信した箱識別情報と前記情報入力手段において受け付けられた荷物情報とを対応付けて記憶装置に記憶する記憶手段，
前記記憶装置内の前記荷物情報の中から選択された荷物情報を前記入力装置において受け付ける選択手段，
前記選択手段において受け付られた荷物情報に対応する箱識別情報を前記記憶装置内の前記各箱識別情報の中から特定する特定手段，及び、
前記特定手段により特定された箱識別情報を有する電子タグに対し、前記アンテナが前記所定距離以下に接近した場合に警告を出力する出力手段
として機能させるプログラム
を格納したことを特徴とするコンピュータ可読媒体。
【発明の詳細な説明】
【技術分野】
【０００１】
本発明は、箱に梱包された荷物に関するデータを管理するための携帯型情報収集端末装置に、関する。
【背景技術】
【０００２】
周知のように、一般の家庭が引っ越しをする場合、家屋内にある荷物の大部分が、段ボール箱に詰め込まれる。このような梱包作業においては、「書斎本棚の書籍」や「台所用品」などのように一所に収納されていた多数の荷物が、一個の段ボール箱に収まることはなく、通常、幾つかの段ボール箱に分割されて詰め込まれる。
【０００３】
その一方、引っ越し先において開梱作業をする場合、作業者は、一所に収納すべき荷物が積み込まれた段ボール箱を纏めて開梱し、書斎本棚や食器棚のような一所にそれら荷物を収納する。
【０００４】
ところが、一所に収納すべき荷物が詰め込まれた多数の段ボール箱は、引っ越し先の家屋内に運び込まれた後で、一箇所に纏まっていることは稀であり、大抵、一つの部屋の離れた場所に置かれていたり別々の部屋に運び込まれていたりする。このため、作業者は、、任意の荷物が詰め込まれた段ボール箱が発見されるまで、段ボール箱を一つずつ開梱していかねばならなかった。
【０００５】
このような問題を解決するために、段ボール箱の蓋を閉める前にその中をインスタントカメラにて写真撮影しておき、その印画紙をその段ボール箱に装着する方法が、特許文献１に開示されている。
【特許文献１】特開２００２−３６２６３３号公報
【発明の開示】
【発明が解決しようとする課題】
【０００６】
前述した特許文献１記載の方法によれば、引っ越し先に運び込まれて積み上げられた段ボール箱の側面の印画紙を見れば、その段ボール箱にどのような荷物が詰め込まれているかが判別できることとなる。
【０００７】
しかしながら、このような特許文献１記載の方法によると、任意の荷物が詰め込まれた段ボール箱が発見されるまで、段ボール箱の側面の印画紙を一つずつ視認せねばならない。そのため、任意の荷物を発見するまで非常に時間が掛かってしまうという問題があった。
【０００８】
また、段ボール箱が山積みされている場合には、その山の真ん中の底の方に埋もれている段ボール箱の側面を視認することができない。このような山の奥底にある段ボール箱の側面の印画紙を見るためには、段ボール箱の山の一部をずらせば良いが、しかし、そうすると、荷崩れが起こる虞があって危険であった。また、その山の一部を構成する各段ボール箱を別の場所に置き替えることも考えられ得るが、この場合、余計な手間や労力や時間を掛けねばならなくなる。
【０００９】
本発明は、前述したような従来の問題点に鑑みてなされたものであり、その課題は、箱が運び込まれた引っ越し先において、余計な手間や労力や時間を掛けなくても、任意の荷物が詰め込まれた箱を発見できるようにする携帯型情報収集端末装置を、提供することにある。
【課題を解決するための手段】
【００１０】
上記の課題を解決するために発明された携帯型情報収集端末装置の第１の態様は、箱を識別するための箱識別情報とその箱の形態を示す箱形態画像の箱形態画像データとを対応付けて記憶する画像保持部，何れかの箱識別情報とその箱に詰め込まれた荷物を定義する荷物情報とを受け付ける情報入力部，前記情報入力部が受け付けた前記箱識別情報と前記荷物情報とを対応付けて記憶する記憶部，前記記憶部内の前記荷物情報のうちの何れかを操作者に選択させる選択部，前記選択部において選択された前記荷物情報に対応する箱識別情報を前記記憶部内の前記各箱識別情報の中から特定する特定部，及び、前記特定部において特定された前記箱識別情報に対応する箱形態画像データを前記画像保持部の中から特定し、その箱形態画像データに基づいて箱形態画像を表示する表示部を備えることを、特徴としている。
【００１１】
このように構成されると、荷物を詰め込む箱の箱識別情報とその荷物の荷物情報とを対応付けて記憶部に蓄積することができる。そして、蓄積された荷物情報の中から何れかが選択された場合には、その選択された荷物情報に対応する箱識別情報が、記憶部内の各箱識別情報の中から特定され、その特定された箱識別情報に対応する箱形態画像データに基づく箱形態画像が表示される。従って、作業員は、任意の荷物の荷物情報を選択するだけで、その荷物が詰め込まれた箱の形態を知ることができ、その形態に基づいてその箱を発見することができる。
【００１２】
また、上記の課題を解決するために発明された携帯型情報収集端末装置の第２の態様は、箱が有する電子タグに対して所定距離以下に接近した場合に、その箱を識別するための箱識別情報をこの電子タグから無線にて受信する受信部，前記受信部に対して前記箱識別情報を発信した電子タグを有する箱に対して詰め込まれた荷物を定義する荷物情報を受け付ける情報入力部，前記受信部が受信した箱識別情報と前記情報入力部において受け付けられた荷物情報とを対応付けて記憶する記憶部，前記記憶部内の前記荷物情報のうちの何れかを操作者に選択させる選択部，前記選択部において選択された前記荷物情報に対応する箱識別情報を前記記憶部内の前記各箱識別情報の中から特定する特定部，及び、前記特定部により特定された箱識別情報を有する電子タグに対し、前記受信部が前記所定距離以下に接近した場合に警告を出力する出力部を備えることを、特徴としている。
【００１３】
このように構成されると、箱が有する電子タグから受信部を通じて読み取った箱識別情報と、その箱に詰め込む荷物の荷物情報とを、対応付けて記憶部に蓄積することができる。そして、蓄積された荷物情報の中から何れかが選択された場合には、その選択された荷物情報に対応する箱識別情報が、記憶部内の各箱識別情報の中から特定され、その特定された箱識別情報に対応する電子タグに受信部が近付くと、警告が出力されるようになる。従って、作業員は、任意の荷物の荷物情報を選択して、受信部を箱に近付けるだけで、その荷物が詰め込まれた箱を発見することができる。
【発明の効果】
【００１４】
以上に説明したように、本発明によれば、箱が運び込まれた引っ越し先において、余計な手間や労力や時間を掛けなくても、任意の荷物が詰め込まれた箱を発見できるようになる。
【発明を実施するための最良の形態】
【００１５】
以下、添付図面に基づいて、本発明を実施するための形態を説明する。
【００１６】
図１は、本発明の実施形態である携帯型情報収集端末装置１０の内部構成図である。また、図２はこの携帯型情報収集端末装置１０の外観図である。この携帯型情報収集端末装置１０は、引っ越しの際に引っ越し先へ運び込まれる荷物に関する情報を管理するためのいわゆるハンディターミナルであり、荷物の梱包及び開梱の作業を行う引越業者の作業員によって使用される。
【００１７】
この携帯型情報収集端末装置１０は、ＣＰＵ［Central Processing Unit］１０ａ，ＳＲＡＭ［Static Random Access Memory］１０ｂ，カメラ装置１０ｃ，画像処理装置１０ｄ，メモリーカードドライブ１０ｅ，音声出力装置１０ｆ，タグ情報読取装置１０ｇ，アンテナ１０ｈ，赤外線通信装置１０ｉ，表示装置１０ｊ，キー入力装置１０ｋ，及び、フラッシュメモリ１０ｍを、備えている。アンテナ１０ｈを除く各ハードウエア１０ａ〜１０ｇ，１０ｉ〜１０ｋ，１０ｍは、バスＢを介して互いに接続されている。
【００１８】
ＣＰＵ１０ａは、携帯型情報収集端末装置１０全体を制御するための中央処理装置である。ＳＲＡＭ１０ｂは、ＣＰＵ１０ａが各種プログラムを実行するに際しての作業領域が展開される主記憶装置である。
【００１９】
カメラ装置１０ｃは、被写体の画像データを取得するための装置であり、対物光学系やエリアイメージセンサを内蔵している。エリアイメージセンサは、二次元配列された多数の画素により構成される撮像面を有する撮像素子であり、その撮像面上には、カラーフィルタがオンチップされている。このエリアイメージセンサは、対物光学系によって撮像面上に形成された像を画像データに変換して、画像処理装置１０ｄに出力する。
【００２０】
画像処理装置１０ｄは、カメラ装置１０ｃから出力される画像データに各種の処理を施すための装置であり、具体的には、フォーマット変換，画質調整，圧縮などの処理を画像データに施す。
【００２１】
メモリーカードドライブ１０ｅは、記憶媒体であるメモリーカードＭＣから画像データやその他のデータを読み込んだり、画像処理装置１０ｄから出力される画像データやその他のデータをメモリーカードＭＣに書き込んだりするための装置である。このメモリーカードドライブ１０ｅは、メモリーカードＭＣを着脱自在に装着するためのスロット機構を、備えている。なお、メモリーカードＭＣの規格としては、例えば、ＳＤ［Secure Digital］カード（東芝社，松下電器産業社，及び、米国サンディスク社商標），メモリースティック（ソニー社商標），コンパクトフラッシュ（米国サンディスク社商標），スマートメディア（東芝社商標），ｘＤ［eXtreme Digital］ピクチャーカード（富士写真フイルム社及びオリンパス光学工業社商標）が、採用され得る。
【００２２】
音声出力装置１０ｆは、音声データを音波に変換して出力するための装置であり、スピーカや音声信号回路を、備えている。
【００２３】
タグ情報読取装置１０ｇは、後述の電子タグ２０が記憶する情報をアンテナ１０ｈを介して読み取るための装置であり、一般にリーダーと称されている。具体的には、このタグ情報読取装置１０ｇは、電子タグ２０に対して応答信号を出力させるための電波をアンテナ１０ｈから発信させる。また、タグ情報読取装置１０ｇは、アンテナ１０ｈが電子タグ２０から応答信号として電波を受信できた場合に、その応答信号の示すデータを情報として取得する。なお、このタグ情報読取装置１０ｇ及びアンテナ１０ｈは、前述した受信部に相当する。
【００２４】
赤外線通信装置１０ｉは、赤外線データ通信協会が定めた通信規格であるＩｒＤＡ［Infrared Data Association］若しくはＩｒＭＣ［Infrared Mobile Communication］，又は、シャープ社が定めた通信規格であるＡＳＫ［Amplitude Shift Keying］に従ってデータの送受信を行うための通信アダプタであり、赤外線発光素子，赤外線受光素子，及び、信号処理回路などを内蔵している。
【００２５】
表示装置１０ｊは、ＣＰＵ１０ａによって生成された画面データに基づいて各種画面を表示するための装置であり、具体的には液晶ディスプレイ（ＬＣＤ［Liquid Crystal Display］）やＬＣＤドライバチップを、備えている。キー入力装置１０ｋは、操作者からの入力を受け付けるための装置であり、具体的には、数字入力用及び文字入力用のテンキーや十字キーや決定キーを有するキーボード，並びに、キースキャン回路を、備えている。
【００２６】
フラッシュメモリ１０ｍは、データやプログラムを記録するための記憶装置である。このフラッシュメモリ１０ｍには、ハードウエアとソフトウエアとを統合的に管理するためのＯＳ［Operating System］プログラムが、記録されており、更に、本発明を実施するために必要なデータ及びプログラムが、記録されている。具体的には、このフラッシュメモリ１０ｍには、制御プログラム１１，ワークテーブル１２，箱マスタテーブル１３，及び、箱形態画像データ１４が、記録されている。
【００２７】
制御プログラム１１は、引っ越しの際に引っ越し先に運び込まれる荷物に関する情報を後述の荷物情報としてメモリーカードＭＣに記録したりそのメモリーカードＭＣに蓄積された荷物情報を検索したりするための装置として携帯型情報収集端末装置１０を機能させるプログラムである。この制御プログラム１１に従ってＣＰＵ１０ａが実行する処理の内容については、後述する。
【００２８】
ワークテーブル１２は、制御プログラム１１による処理において一時的に保持すべき情報を記録しておく際に用いられる作業テーブルである。
【００２９】
箱マスタテーブル１３は、荷物の梱包に用いる段ボール箱に関する情報を蓄積しておくためのテーブルである。図３は、この箱マスタテーブル１３のデータ構造の一例を示す図である。本実施形態では、全体の大きさ，並びに、側面の模様及び色彩の組み合わせが互いに異なる多数の段ボール箱が、用意されており、図３の箱マスタテーブル１３は、上記組み合わせと同じ数のレコードを、有している。各レコードは、「大きさ」，「模様」，「色彩」，「箱属性識別情報」，及び、「箱形態画像データ」のフィールドを、有している。
【００３０】
「大きさ」フィールドには、その段ボール箱の大きさが、記録される。本実施形態では、大中小の三つの段ボール箱が用意されるので、この「大きさ」フィールドには、大，中，小の何れかが、記録される。「模様」フィールドには、その段ボール箱の側面に施された模様の名称が、記録される。本実施形態では、段ボール箱に施される模様として、例えば、縦縞，横縞，斜め縞，水玉，星，菱形，ジグザグ，格子，雷文，流水文が用いられる。「色彩」フィールドには、その模様に配された色彩の名称が、記録される。
【００３１】
「箱属性識別情報」フィールドには、大きさ，模様，及び、色彩の組み合わせからなる属性を個別に識別するために各属性に一意に割り当てられた箱属性識別情報が、記録される。「箱形態画像データ」フィールドには、その段ボール箱の側面に施された形態である模様及び色彩を表示装置１０ｊに示すための箱形態画像データ１４のファイル名が、その格納位置情報として記録される。なお、この箱形態画像データ１４を記憶したフラッシュメモリ１０ｍは、前述した画像保持部に相当する。
【００３２】
図４は、本実施形態において用意される多数の段ボール箱のうちの一つの外観図である。図４の段ボール箱の側面には、水玉模様が施されている。また、本実施形態において用意される段ボール箱の何れにも、図４に示されるように、電子タグ２０が貼り付けられている。図５は、この電子タグ２０の内部構成図である。電子タグ２０は、不揮発性メモリ２０ａ，コイルアンテナ２０ｂ，及び、通信制御回路２０ｃを、備えている。
【００３３】
不揮発性メモリ２０ａは、ＥＥＰＲＯＭ［Electrically Erasable and Programmable Read Only Memory］やＦｅＲＡＭ［Ferroelectric Random Access Memory］であり、この電子タグ２０が貼り付けられる段ボール箱に関する情報をタグ情報として記憶する。本実施形態では、このタグ情報は、箱識別情報と箱属性識別情報とから構成されている。箱識別情報は、段ボール箱を個別に識別するために各段ボール箱に一意に割り当てられた識別情報である。箱属性識別情報は、図３の箱マスタテーブル１３の「箱属性識別情報」フィールドに記録される箱属性識別情報と同じものであり、その電子タグ２０が貼り付けられた段ボール箱の大きさ，模様，及び、色彩の組み合わせに対応する箱属性識別情報である。
【００３４】
コイルアンテナ２０ｂは、携帯型情報収集端末装置１０のアンテナ１０ｈとの間でデータの送受信を行うための回路である。また、このコイルアンテナ２０ｂは、そのアンテナ１０ｈから発信された電波によって誘導起電力を生じて、通信制御回路２０ｃへ電力を供給する。
【００３５】
通信制御回路２０ｃは、コイルアンテナ２０ｂを介して携帯型情報収集端末装置１０から信号を受信すると、不揮発性メモリ２０ａが記憶している情報をコイルアンテナ２０ｂから外部へ発信する回路である。
【００３６】
以下、以上のように構成される電子タグ２０を用いて携帯型情報収集端末装置１０が実行する処理の内容について、説明する。
【００３７】
携帯型情報収集端末装置１０の主電源が投入されると、ＣＰＵ１０ａが、図示せぬブートプログラムやＯＳプログラムをフラッシュメモリ１０ｍから読み込んで初期化処理を行い、その後、フラッシュメモリ１０ｍ内の制御プログラム１１を読み込んで、制御処理を実行する。図６は、この制御処理の内容を示すフローチャートである。
【００３８】
制御処理の開始後、最初のステップＳ１０１では、ＣＰＵ１０ａは、メニュー画面を表示装置１０ｊに表示する。図７は、メニュー画面３１の一例を示す図である。図７のメニュー画面３１には、六個のボタン３１ａ〜３１ｆが示されている。
【００３９】
一つ目のボタン３１ａは、この携帯型情報収集端末装置１０を使用する作業員の作業員識別情報をこの装置１０に登録する作業を行う際にクリックされる作業員登録ボタンである。なお、作業員識別情報は、前述した引越業者が作業員を個別に識別するために各作業員に一意に割り当てた識別情報である。二つ目のボタン３１ｂは、後述の荷物情報をメモリーカードＭＣに記録する作業を行う際にクリックされる荷物登録ボタンである。
【００４０】
三つ目のボタン３１ｃは、幾つかの携帯型情報収集端末装置１０を通じて多数のメモリーカードＭＣに蓄積された荷物情報を統合（マージ）して一つのメモリーカードＭＣに記録する作業を行う際にクリックされるマージ作業ボタンである。四つ目のボタン３１ｄは、任意の荷物が詰め込まれている箱を検索する作業を行う際にクリックされる箱検索作業ボタンである。
【００４１】
五つ目のボタン３１ｅは、任意の荷物が詰め込まれている箱をアンテナ１０ｈを利用して探索する作業を行う際にクリックされる箱探索作業ボタンである。六つ目のボタン３１ｆは、この携帯型情報収集端末装置１０の使用を終了する際にクリックされる終了ボタンである。
【００４２】
ＣＰＵ１０ａは、ステップＳ１０１において、図７に示されるようなメニュー画面３１を表示装置１０ｊに表示した後、ステップＳ１０２へ処理を進める。
【００４３】
ステップＳ１０２では、ＣＰＵ１０ａは、図７に示されるようなメニュー画面３１中の六つのボタン３１ａ〜３１ｆのうちの何れかがクリックされるまで、待機する（Ｓ１０２；ＮＯ）。そして、メニュー画面３１中の六つのボタン３１ａ〜３１ｆのうちの何れかがクリックされると（Ｓ１０２；ＹＥＳ）、ＣＰＵ１０ａは、ステップＳ１０３へ処理を進める。
【００４４】
ステップＳ１０３では、ＣＰＵ１０ａは、図７のメニュー画面３１においてクリックされたボタンが作業員登録ボタン３１ａであるか否かを、判別する。そして、図７のメニュー画面３１においてクリックされたボタンが作業員登録ボタン３１ａであった場合（Ｓ１０３；ＹＥＳ）、ＣＰＵ１０ａは、ステップＳ１０４へ処理を進める。
【００４５】
ステップＳ１０４では、ＣＰＵ１０ａは、作業員登録処理を実行する。具体的には、ＣＰＵ１０ａは、作業員識別情報入力画面を表示装置１０ｊに表示する。なお、この作業員識別情報入力画面は、作業員識別情報を入力するためのテキストボックスと、そのテキストボックスへの入力が済んだ際にクリックされるＯＫボタンとを、含んでいる。このように作業員識別情報入力画面を表示装置１０ｊに表示した後、ＣＰＵ１０ａは、その作業員識別情報入力画面内のＯＫボタンがクリックされるまで、待機する。そして、ＯＫボタンがクリックされた場合、ＣＰＵ１０ａは、作業員識別情報入力画面内のテキストボックスに入力された作業員識別情報をＳＲＡＭ１０ｂ内の所定領域に記録する。このような作業員登録処理の実行後、ＣＰＵ１０ａは、ステップＳ１０１へ処理を戻し、再び、図７に示されるようなメニュー画面３１を表示装置１０ｊに表示する。
【００４６】
ところで、ステップＳ１０１において表示装置１０ｊに表示されるメニュー画面３１は、ＳＲＡＭ１０ｂ内の所定領域に作業員識別情報が記録されていない場合、作業員登録ボタン３１ａ及び終了ボタン３１ｆ以外のボタン３１ｂ〜３１ｅが機能しないようになっている。つまり、携帯型情報収集端末装置１０に電源を投入した直後においては、作業員登録ボタン３１ａ及び終了ボタン３１ｆしかクリックできないようになっている。これは、身分を明らかにした人物だけしか携帯型情報収集端末装置１０を操作できないようするためである。そして、一旦作業員識別情報が携帯型情報収集端末装置１０に登録された後（一度ステップＳ１０４の処理を経た後）には、作業員登録ボタン３１ａ及び終了ボタン３１ｆ以外のボタン３１ｂ〜３１ｅをクリックすることができるようになり、さらには、別の作業員識別情報を登録することもできる。
【００４７】
また、ステップＳ１０３において、図７のメニュー画面３１においてクリックされたボタンが作業員登録ボタン３１ａでなかった場合（Ｓ１０３；ＮＯ）、ＣＰＵ１０ａは、ステップＳ１０５へ処理を進める。
【００４８】
ステップＳ１０５では、ＣＰＵ１０ａは、図７のメニュー画面３１においてクリックされたボタンが荷物登録ボタン３１ｂであるか否かを、判別する。そして、図７のメニュー画面３１においてクリックされたボタンが荷物登録ボタン３１ｂであった場合（Ｓ１０５；ＹＥＳ）、ＣＰＵ１０ａは、ステップＳ１０６へ処理を進める。
【００４９】
ステップＳ１０６では、ＣＰＵ１０ａは、荷物登録処理を実行する。図８及び図９は、この荷物登録処理の内容を示すフローチャートである。
【００５０】
荷物登録処理の開始後、最初のステップＳ２０１では、ＣＰＵ１０ａは、メモリーカードＭＣがメモリーカードドライブ１０ｅのスロットに装着されているか否かを、判別する。そして、メモリーカードＭＣがメモリーカードドライブ１０ｅのスロットに装着されていなかった場合（Ｓ２０１；ＮＯ）、ＣＰＵ１０ａは、ステップＳ２０２へ処理を進める。
【００５１】
ステップＳ２０２では、ＣＰＵ１０ａは、挿入指示画面を表示装置１０ｊに表示する。この挿入指示画面には、メモリーカードＭＣをメモリーカードドライブ１０ｅのスロット機構へ挿入するように指示する旨が、記述されている。また、この挿入指示画面は、メモリーカードＭＣをメモリーカードドライブ１０ｅのスロットに装着した際にキー入力装置１０ｋのキーボード上の決定キーを押下するように指示する旨が、記述されている。
【００５２】
次のステップＳ２０３では、ＣＰＵ１０ａは、決定キーが押下されるまで待機する（Ｓ２０３；ＮＯ）。そして、決定キーが押下されると（Ｓ２０３；ＹＥＳ）、ＣＰＵ１０ａは、荷物登録処理を終了し、図６の制御処理のステップＳ１０１へ処理を戻す。
【００５３】
一方、ステップＳ２０１において、メモリーカードＭＣがメモリーカードドライブ１０ｅのスロットに装着されていた場合（Ｓ２０１；ＹＥＳ）、ＣＰＵ１０ａは、ステップＳ２０４へ処理を進める。
【００５４】
ステップＳ２０４では、ＣＰＵ１０ａは、荷物登録画面を表示装置１０ｊに表示する。図１０は、この荷物登録画面３２の一例を示す図である。図１０の荷物登録画面３２には、五つのボタン３２ａ〜３２ｅが示されている。
【００５５】
一つ目のボタン３２ａは、作業員がその荷物を詰め込もうとしている段ボール箱に貼り付けられている電子タグ２０が持つ箱識別情報（タグ情報から箱属性識別情報を除いて得られる情報）をワークテーブル１２に記録する際にクリックされる箱番号設定ボタンである。二つ目のボタン３２ｂは、引っ越し先の家屋内の部屋を個別に識別するために各部屋に一意に割り当てられた部屋識別情報のうち、その荷物が詰め込まれた段ボール箱が運び込まれる部屋の部屋識別情報をワークテーブル１２に記録する際にクリックされる部屋番号設定ボタンである。
【００５６】
三つ目のボタン３２ｃは、荷物の種類を識別するための荷物種類識別情報のうち、その荷物の種類に対応する荷物種類識別情報をワークテーブル１２に記録する際にクリックされる荷物種類設定ボタンである。四つ目のボタン３２ｄは、その荷物を撮影することによってその画像データをメモリーカードＭＣに登録する際にクリックされる荷物画像登録ボタンである。五つ目のボタン３２ｅは、図７のメニュー画面３１へ戻る際にクリックされる戻るボタンである。
【００５７】
また、この荷物登録画面３２には、三つの表示欄３２ｆ〜３２ｈが示されている。各表示欄３２ｆ〜３２ｈには、ワークテーブル１２に記録されている箱識別情報，荷物種類識別情報，及び、部屋識別情報が、それぞれ示される。但し、ワークテーブル１２に記録されていない情報がある場合、その情報に対応する表示欄３２ｆ〜３２ｈは空欄となる。
【００５８】
ＣＰＵ１０ａは、ステップＳ２０４において、図１０に示されるような荷物登録画面３２を表示装置１０ｊに表示した後、ステップＳ２０５へ処理を進める。
【００５９】
ステップＳ２０５では、ＣＰＵ１０ａは、図１０に示されるような荷物登録画面３２中の五つのボタン３２ａ〜３２ｅのうちの何れかがクリックされるまで、待機する（Ｓ２０５；ＮＯ）。そして、荷物登録画面３２中の五つのボタン３２ａ〜３２ｅのうちの何れかがクリックされると（Ｓ２０５；ＹＥＳ）、ＣＰＵ１０ａは、ステップＳ２０６へ処理を進める。
【００６０】
ステップＳ２０６では、ＣＰＵ１０ａは、図１０の荷物登録画面３２においてクリックされたボタンが箱番号設定ボタン３２ａであるか否かを、判別する。そして、図１０の荷物登録画面３２においてクリックされたボタンが箱番号設定ボタン３２ａであった場合（Ｓ２０６；ＹＥＳ）、ＣＰＵ１０ａは、ステップＳ２０７へ処理を進める。
【００６１】
ステップＳ２０７では、ＣＰＵ１０ａは、タグ情報受付処理を実行する。具体的には、ＣＰＵ１０ａは、段ボール箱に貼り付けられた電子タグ２０に対してアンテナ１０ｈを近付けるように指示する旨のアンテナ操作指示画面を表示して、タグ情報読取装置１０ｇからタグ情報が通知されるまで待機する。そして、そのタグ情報読取装置１０ｇからタグ情報が通知されると、ＣＰＵ１０ａは、そのタグ情報中の箱識別番号と箱属性識別情報とを、ワークテーブル１２に記録する。このような箱識別情報受付処理の実行後、ＣＰＵ１０ａは、ステップＳ２０４へ処理を戻す。なお、このステップＳ２０７の実行後に表示装置１０ｊに表示される荷物登録画面３２の第１表示欄３２ｆには、ステップＳ２０７においてワークテーブル１２に記録された箱識別情報（図１０では「００１」）が、表示されることとなる。
【００６２】
一方、ステップＳ２０６において、図１０の荷物登録画面３２においてクリックされたボタンが箱番号設定ボタン３２ａでなかった場合（Ｓ２０６；ＮＯ）、ＣＰＵ１０ａは、ステップＳ２０８へ処理を進める。
【００６３】
ステップＳ２０８では、ＣＰＵ１０ａは、図１０の荷物登録画面３２においてクリックされたボタンが部屋番号設定ボタン３２ｂであるか否かを、判別する。そして、図１０の荷物登録画面３２においてクリックされたボタンが部屋番号設定ボタン３２ｂであった場合（Ｓ２０８；ＹＥＳ）、ＣＰＵ１０ａは、ステップＳ２０９へ処理を進める。
【００６４】
ステップＳ２０９では、ＣＰＵ１０ａは、部屋識別情報受付処理を実行する。具体的には、ＣＰＵ１０ａは、部屋番号設定画面を表示装置１０ｊに表示する。なお、この部屋番号設定画面は、部屋識別情報を入力するためのテキストボックスと、そのテキストボックスへの入力が済んだ際にクリックされるＯＫボタンとを、含んでいる。このような部屋番号設定画面を表示装置１０ｊに表示した後、ＣＰＵ１０ａは、その部屋番号設定画面中のＯＫボタンがクリックされるまで待機する。そして、ＯＫボタンがクリックされた場合、ＣＰＵ１０ａは、部屋番号設定画面内のテキストボックスに入力された部屋識別情報をワークテーブル１２に記録する。このような部屋識別情報受付処理の実行後、ＣＰＵ１０ａは、ステップＳ２０４へ処理を戻す。なお、このステップＳ２０９の実行後に表示装置１０ｊに表示される荷物登録画面３２の第２表示欄３２ｇには、ステップＳ２０９においてワークテーブル１２に記録された部屋識別情報（図１０では「１０１」）が、表示されることとなる。
【００６５】
一方、ステップＳ２０８において、図１０の荷物登録画面３２においてクリックされたボタンが部屋番号設定ボタン３２ｂでなかった場合（Ｓ２０８；ＮＯ）、ＣＰＵ１０ａは、ステップＳ２１０へ処理を進める。
【００６６】
ステップＳ２１０では、ＣＰＵ１０ａは、図１０の荷物登録画面３２においてクリックされたボタンが荷物種類設定ボタン３２ｃであるか否かを、判別する。そして、図１０の荷物登録画面３２においてクリックされたボタンが荷物種類設定ボタン３２ｃであった場合（Ｓ２１０；ＹＥＳ）、ＣＰＵ１０ａは、ステップＳ２１１へ処理を進める。
【００６７】
ステップＳ２１１では、ＣＰＵ１０ａは、荷物種類識別情報受付処理を実行する。具体的には、ＣＰＵ１０ａは、荷物種類設定画面を表示装置１０ｊに表示する。図１１は、この荷物種類設定画面３３の一例を示す図である。図１１の荷物種類設定画面３３には、六つのボタン３３ａ〜３３ｆが、示されている。但し、キー入力装置１０ｋのキーボード上の下キーが押下されてこの画面３３がスクロールされると、これら六つのボタン３３ａ〜３３ｆ以外のボタンが表示される。各ボタンは、父親衣類，母親衣類，子供衣類，親用書籍，子供用書籍，食器，…のうちの何れかをその荷物の種類として選択する際にクリックされるボタンである。このような荷物種類設定画面を表示装置１０ｊに表示した後、ＣＰＵ１０ａは、その荷物種類設定画面中の何れかのボタンがクリックされるまで待機する。そして、何れかのボタンがクリックされると、そのクリックされたボタンに対応する荷物種類識別情報をワークテーブル１２に記録する。このような荷物種類識別情報受付処理の実行後、ＣＰＵ１０ａは、ステップＳ２０４へ処理を戻す。なお、このステップＳ２１１の実行後に表示装置１０ｊに表示される荷物登録画面３２の第３表示欄３２ｈには、ステップＳ２１１においてワークテーブル１２に記録された荷物種類識別情報（図１０では「子供衣類」）が、表示されることとなる。
【００６８】
一方、ステップＳ２１０において、図１０の荷物登録画面３２においてクリックされたボタンが荷物種類設定ボタン３２ｃでなかった場合（Ｓ２１０；ＮＯ）、ＣＰＵ１０ａは、ステップＳ２１２へ処理を進める。
【００６９】
ステップＳ２１２では、ＣＰＵ１０ａは、図１０の荷物登録画面３２においてクリックされたボタンが荷物画像登録ボタン３２ｄであるか否かを、判別する。そして、図１０の荷物登録画面３２においてクリックされたボタンが荷物画像登録ボタン３２ｄであった場合（Ｓ２１２；ＹＥＳ）、ＣＰＵ１０ａは、ステップＳ２１３へ処理を進める。
【００７０】
ステップＳ２１３では、ＣＰＵ１０ａは、荷物画像登録処理を実行する。図１２及び図１３は、この荷物画像登録処理の内容を示すフローチャートである。
【００７１】
荷物画像登録処理の開始後、最初のステップＳ３０１では、箱識別番号，箱属性識別情報，部屋識別情報，及び、荷物種類識別情報がワークテーブル１２内に全て記録されているか否かを、判別する。そして、これら四つの情報のうちの一つでもワークテーブル１２内に記録されていなかった場合（Ｓ３０１；ＮＯ）、ＣＰＵ１０ａは、ステップＳ３０２へ処理を進める。
【００７２】
ステップＳ３０２では、ＣＰＵ１０ａは、設定指示画面を表示装置１０ｊに表示する。この設定指示画面には、図１０の荷物登録画面３２へ戻って箱番号設定，部屋番号設定，及び、荷物種類設定を全て行うように指示する旨が、記述されている。また、この設定指示画面には、この設定指示画面内の記述内容を読み終えた際にキー入力装置１０ｋのキーボード上の決定キーを押下するように指示する旨が、記述されている。
【００７３】
次のステップＳ３０３では、ＣＰＵ１０ａは、決定キーが押下されるまで待機する（Ｓ３０３；ＮＯ）。そして、決定キーが押下されると（Ｓ３０３；ＹＥＳ）、ＣＰＵ１０ａは、荷物画像登録処理を終了し、図９の荷物登録処理のステップＳ２０４へ処理を戻す。  
【００７４】
一方、ステップＳ３０１において、箱識別番号，箱属性識別情報，部屋識別情報，及び、荷物種類識別情報がワークテーブル１２内に全て記録されていた場合（Ｓ３０１；ＹＥＳ）、ＣＰＵ１０ａは、ステップＳ３０４へ処理を進める。
【００７５】
ステップＳ３０４では、ＣＰＵ１０ａは、撮影指示画面を表示装置１０ｊに表示する。この撮影指示画面には、カメラ装置１０ｃの視野を荷物へ向ける旨，及び、キー入力装置１０ｋのキーボード上の決定キーがシャッターボタンとして機能する旨が、記述されている。
【００７６】
次のステップＳ３０５では、ＣＰＵ１０ａは、決定キーが押下されるまで待機する。つまり、ＣＰＵ１０ａは、カメラ装置１０ｃ及び画像処理装置１０ｄから荷物画像データを取得するまで、待機する（Ｓ３０５；ＮＯ）。そして、決定キーが押下されることによって荷物画像データを取得すると（Ｓ３０５；ＹＥＳ）、ＣＰＵ１０ａは、ステップＳ３０６へ処理を進める。
【００７７】
ステップＳ３０６では、ＣＰＵ１０ａは、確認画面を表示装置１０ｊに表示する。この確認画面は、取得した荷物画像データに基づく荷物画像と、その荷物画像の登録を行う際にクリックされるＯＫボタンと、その荷物画像の登録を取り止める際にクリックされるキャンセルボタンとを、含んでいる。
【００７８】
次のステップＳ３０７では、ＣＰＵ１０ａは、その確認画面内のＯＫボタン及びキャンセルボタンの何れかがクリックされるまで、待機する（Ｓ３０７；ＮＯ）。そして、何れかのボタンがクリックされると（Ｓ３０７；ＹＥＳ）、ＣＰＵ１０ａは、ステップＳ３０８へ処理を進める。
【００７９】
ステップＳ３０８では、ＣＰＵ１０ａは、確認画面においてクリックされたボタンがＯＫボタンであるか否かを、判別する。そして、ＣＰＵ１０ａは、確認画面においてクリックされたボタンがキャンセルボタンであった場合（Ｓ３０８；ＮＯ）、ステップＳ３０４へ処理を戻し、確認画面においてクリックされたボタンがＯＫボタンであった場合（Ｓ３０８；ＹＥＳ）、ステップＳ３０９へ処理を進める。
【００８０】
ステップＳ３０９では、ＣＰＵ１０ａは、取得した荷物画像データをメモリーカードドライブ１０ｅを通じてメモリーカードＭＣに記録する。
【００８１】
次のステップＳ３１０では、ＣＰＵ１０ａは、メモリーカードＭＣに記録した荷物画像データのファイル名をワークテーブル１２に記録する。
【００８２】
次のステップＳ３１１では、ＣＰＵ１０ａは、荷物識別情報を生成する。この荷物識別情報は、ＳＲＡＭ１０ｂ内の所定領域に記録された作業員識別情報と、各荷物を個別に識別するために各荷物に割り当てられる荷物通し番号とを、組み合わせたものである。つまり、ＣＰＵ１０ａは、メモリーカードＭＣ内のテーブルの各レコードに使われていない荷物通し番号のうちの最も小さな荷物通し番号をこの荷物の荷物通し番号として生成し、この新規な荷物通し番号に作業員識別情報を組み合わせることによって、この荷物に対する荷物識別情報を生成する。
【００８３】
次のステップＳ３１２では、ＣＰＵ１０ａは、新たに生成した荷物識別情報をワークテーブル１２に記録する。
【００８４】
次のステップＳ３１３では、ＣＰＵ１０ａは、コメント入力画面を表示装置１０ｊに表示する。このコメント入力画面は、コメントを入力するためのテキストボックスと、このテキストボックスへの入力が済んだ際にクリックされるＯＫボタンと、コメントを登録しない際にクリックされるキャンセルボタンとを、含んでいる。
【００８５】
次のステップＳ３１４では、ＣＰＵ１０ａは、そのコメント入力画面内のＯＫボタン及びキャンセルボタンの何れかがクリックされるまで、待機する（Ｓ３１４；ＮＯ）。そして、何れかのボタンがクリックされると（Ｓ３１４；ＹＥＳ）、ＣＰＵ１０ａは、ステップＳ３１５へ処理を進める。
【００８６】
ステップＳ３１５では、ＣＰＵ１０ａは、コメント入力画面においてクリックされたボタンがＯＫボタンであるか否かを、判別する。そして、コメント入力画面においてクリックされたボタンがＯＫボタンであった場合（Ｓ３１５；ＹＥＳ）、ＣＰＵ１０ａは、ステップＳ３１６へ処理を進める。
【００８７】
ステップＳ３１６では、ＣＰＵ１０ａは、コメント入力画面においてＯＫボタンがクリックされた際にテキストボックス内に入力されていたコメントのテキストデータを、ワークテーブル１２に記録する。記録後、ＣＰＵ１０ａは、ステップＳ３１７へ処理を進める。
【００８８】
一方、ステップＳ３１５において、コメント入力画面においてクリックされたボタンがキャンセルボタンであった場合（Ｓ３１５；ＮＯ）、ＣＰＵ１０ａは、ワークテーブル１２にテキストデータを記録することなく、ステップＳ３１７へ処理を進める。
【００８９】
ステップＳ３１７では、ＣＰＵ１０ａは、ワークテーブル１２内に記録されているレコードを、荷物情報として、メモリーカードドライブ１０ｅを通じてメモリーカードＭＣ内のテーブルに追加する。なお、荷物情報は、荷物識別情報，箱識別情報，箱属性識別情報，部屋識別情報，荷物種類識別情報，荷物画像データのファイル名，及び、コメントのテキストデータからなる。但し、ステップＳ３１６を経ていない場合には、荷物情報には、テキストデータは含まれない。
【００９０】
図１４は、メモリーカードＭＣ内のテーブルのデータ構造の一例を示す図である。図１４のテーブルは、ステップＳ３０９の処理回数（メモリーカードＭＣ内の荷物画像データの数）と同じ数のレコードを、有している。各レコードは、「荷物識別情報」，「箱識別情報」，「箱属性識別情報」，「部屋識別情報」，「荷物種類識別情報」，「荷物画像データ」，及び、「コメント」のフィールドを、有している。
【００９１】
「荷物識別情報」フィールドには、図１２のステップＳ３０７において生成された荷物識別情報が、記録される。「箱識別情報」及び「箱属性識別情報」フィールドには、図８のステップＳ２０７において電子タグ２０から取得した箱識別情報及び箱属性識別情報が、それぞれ記録される。「部屋識別情報」フィールドには、図８のステップＳ２０９において受け付けた部屋識別情報が、記録される。「荷物種類識別情報」フィールドには、図８のステップＳ２１１において受け付けた荷物種類識別情報が、記録される。「荷物画像データ」フィールドには、図１３のステップＳ３０９においてメモリーカードＭＣに記録された荷物画像データのファイル名が、記録される。「コメント」フィールドには、図１３のステップＳ３１３〜Ｓ３１６において受け付けたテキストデータが、記録される。但し、荷物情報がテキストデータを有していない場合、「コメント」フィールドは空欄となる。
【００９２】
ＣＰＵ１０ａは、ステップＳ３１７において、メモリーカードＭＣ内のこのようなテーブルに対し、荷物情報として、新たなレコードを追加する。なお、荷物情報が記録されるメモリーカードＭＣ内のこのテーブルは、前述した記憶部に相当する。このステップＳ３１７を実行した後、ＣＰＵ１０ａは、ステップＳ３１８へ処理を進める。
【００９３】
ステップＳ３１８では、ＣＰＵ１０ａは、ワークテーブル１２内のレコードのうち、箱識別情報，箱属性識別情報，部屋識別情報，及び、荷物種類識別情報を残して、それ以外の情報を削除する。削除後、ＣＰＵ１０ａは、荷物画像登録処理を終了する。なお、このステップＳ１０６を実行するＣＰＵ１０ａは、前述した情報入力部に相当する。このステップＳ１０６の実行後、ＣＰＵ１０ａは、図９の荷物登録処理のステップＳ２０４へ処理を戻す。
【００９４】
一方、ステップＳ２１２において、図１０の荷物登録画面３２においてクリックされたボタンが荷物画像登録ボタン３２ｄでなかった場合（Ｓ２１２；ＮＯ）、ＣＰＵ１０ａは、戻るボタン３２ｅがクリックされたと判断して、荷物登録処理を終了し、図６の制御処理のステップＳ１０１へ処理を戻す。
【００９５】
一方、ステップＳ１０５において、図７のメニュー画面３１においてクリックされたボタンが荷物登録ボタン３１ｂでなかった場合（Ｓ１０５；ＮＯ）、ＣＰＵ１０ａは、ステップＳ１０７へ処理を進める。
【００９６】
ステップＳ１０７では、ＣＰＵ１０ａは、図７のメニュー画面３１においてクリックされたボタンがマージ作業ボタン３１ｃであるか否かを、判別する。そして、図７のメニュー画面３１においてクリックされたボタンがマージ作業ボタン３１ｃであった場合（Ｓ１０７；ＹＥＳ）、ＣＰＵ１０ａは、ステップＳ１０８へ処理を進める。
【００９７】
ステップＳ１０８では、ＣＰＵ１０ａは、マージ作業処理を実行する。図１５は、このマージ作業処理の内容を示すフローチャートである。
【００９８】
マージ作業処理の開始後、最初のステップＳ４０１では、ＣＰＵ１０ａは、挿入指示画面を表示装置１０ｊに表示する。この挿入指示画面には、メモリーカードＭＣをメモリーカードドライブ１０ｅのスロット機構へ挿入するように指示する旨が、記述されている。また、この挿入指示画面は、マージ作業処理の対象となるテーブルを記憶しているメモリーカードＭＣをメモリーカードドライブ１０ｅのスロットに装着した際にクリックされるＯＫボタンと、マージ作業処理の対象となるテーブルを記憶しているメモリーカードＭＣが無くなった際にクリックされる終了ボタンとを、含んでいる。
【００９９】
次のステップＳ４０２では、ＣＰＵ１０ａは、挿入指示画面内のＯＫボタン及び終了ボタンの何れかがクリックされるまで、待機する（Ｓ４０２；ＮＯ）。そして、挿入指示画面内の何れかのボタンがクリックされると（Ｓ４０２；ＹＥＳ）、ＣＰＵ１０ａは、ステップＳ４０３へ処理を進める。
【０１００】
ステップＳ４０３では、ＣＰＵ１０ａは、クリックされたボタンがＯＫボタンであるか否かを、判別する。そして、クリックされたボタンがＯＫボタンであった場合（Ｓ４０３；ＹＥＳ）、ＣＰＵ１０ａは、ステップＳ４０４へ処理を進める。
【０１０１】
ステップＳ４０４では、ＣＰＵ１０ａは、メモリーカードＭＣから全ての荷物画像データを読み出す。
【０１０２】
次のステップＳ４０５では、ＣＰＵ１０ａは、メモリーカードドライブ１０ｅを通じてメモリーカードＭＣ内のテーブルから全てのレコードを読み出す。
【０１０３】
次のステップＳ４０６では、ＣＰＵ１０ａは、ステップＳ４０５において読み出した全レコードと、これ以前のステップＳ４０６の実行によってＳＲＡＭ１０ｂに記憶しておいた全レコードとについて、マージ処理を実行する。具体的には、ＣＰＵ１０ａは、全レコードの荷物識別番号中の荷物通し番号が統合後に一意となるように、全レコードの荷物識別番号中の荷物通し番号を採番する。また、ＣＰＵ１０ａは、この採番に合わせて、各荷物画像データのファイル名も、対応する荷物通し番号を含むものに変更する。マージ処理の後、ＣＰＵ１０ａは、ステップＳ４０１へ処理を戻す。
【０１０４】
ステップＳ４０１〜Ｓ４０６の処理ループの実行中、挿入指示画面内のＯＫボタンがクリックされると（Ｓ４０３；ＮＯ）、ＣＰＵ１０ａは、処理をステップＳ４０３からＳ４０７へ分岐させる。
【０１０５】
ステップＳ４０７では、ＣＰＵ１０ａは、挿入指示画面を表示装置１０ｊに表示する。この挿入指示画面には、統合後のテーブルを記録すべきメモリーカードＭＣをメモリーカードドライブ１０ｅのスロットに挿入するように指示する旨が、記述されている。また、この挿入指示画面は、メモリーカードドライブ１０ｅのスロットへのメモリーカードＭＣの挿入が終わった際にクリックされるＯＫボタンを、含んでいる。
【０１０６】
次のステップＳ４０８では、ＣＰＵ１０ａは、挿入指示画面内のＯＫボタンがクリックされるまで、待機する（Ｓ４０８；ＮＯ）。そして、挿入指示画面内のＯＫボタンがクリックされると（Ｓ４０８；ＹＥＳ）、ＣＰＵ１０ａは、ステップＳ４０９へ処理を進める。
【０１０７】
ステップＳ４０９では、ＣＰＵ１０ａは、メモリーカードドライブ１０ｅを通じてメモリーカードＭＣ内のテーブルを一旦クリアした後、そのテーブル内に、ＳＲＡＭ１０ｂに記録されている統合後の全レコードを記録する。
【０１０８】
次のステップＳ４１０では、ＣＰＵ１０ａは、メモリーカードドライブ１０ｅを通じてメモリーカードＭＣ内に、全ての荷物画像データを記録する。記録後、ＣＰＵ１０ａは、マージ作業処理を終了する。なお、このステップＳ１０８を実行するＣＰＵ１０ａは、前述した取得部及びマージ部に相当する。ステップＳ１０８の実行後、ＣＰＵ１０ａは、図６の制御処理のステップＳ１０１へ処理を戻す。
【０１０９】
一方、ステップＳ１０７において、図７のメニュー画面３１においてクリックされたボタンがマージ作業ボタン３１ｃでなかった場合（Ｓ１０７；ＮＯ）、ＣＰＵ１０ａは、ステップＳ１０９へ処理を進める。
【０１１０】
ステップＳ１０９では、ＣＰＵ１０ａは、図７のメニュー画面３１においてクリックされたボタンが箱検索作業ボタン３１ｄであるか否かを、判別する。そして、図７のメニュー画面３１においてクリックされたボタンが箱検索作業ボタン３１ｄであった場合（Ｓ１０９；ＹＥＳ）、ＣＰＵ１０ａは、ステップＳ１１０へ処理を進める。
【０１１１】
ステップＳ１１０では、ＣＰＵ１０ａは、箱検索作業処理を実行する。図１６及び図１７は、この箱検索作業処理の内容を示すフローチャートである。
【０１１２】
箱検索作業処理の開始後、最初のステップＳ５０１では、メモリーカードＭＣがメモリーカードドライブ１０ｅのスロットに装着されているか否かを、判別する。そして、メモリーカードＭＣがメモリーカードドライブ１０ｅのスロットに装着されていなかった場合（Ｓ５０１；ＮＯ）、ＣＰＵ１０ａは、ステップＳ５０２へ処理を進める。
【０１１３】
ステップＳ５０２では、ＣＰＵ１０ａは、挿入指示画面を表示装置１０ｊに表示する。この挿入指示画面には、メモリーカードＭＣをメモリーカードドライブ１０ｅのスロット機構へ挿入するように指示する旨が、記述されている。また、この挿入指示画面は、メモリーカードＭＣをメモリーカードドライブ１０ｅのスロットに装着した際にキー入力装置１０ｋのキーボード上の決定キーを押下するように指示する旨が、記述されている。
【０１１４】
次のステップＳ５０３では、ＣＰＵ１０ａは、決定キーが押下されるまで待機する（Ｓ５０３；ＮＯ）。そして、決定キーが押下されると（Ｓ５０３；ＹＥＳ）、ＣＰＵ１０ａは、箱検索作業処理を終了し、図６の制御処理のステップＳ１０１へ処理を戻す。
【０１１５】
一方、ステップＳ５０１において、メモリーカードＭＣがメモリーカードドライブ１０ｅのスロットに装着されていた場合（Ｓ５０１；ＹＥＳ）、ＣＰＵ１０ａは、ステップＳ５０４へ処理を進める。
【０１１６】
ステップＳ５０４では、ＣＰＵ１０ａは、荷物種類一覧画面を表示する。この荷物種類一覧画面は、荷物種類識別情報と同じ数のボタンを、含んでいる。各ボタンには、荷物種類識別情報が、描かれている。
【０１１７】
次のステップＳ５０５では、ＣＰＵ１０ａは、荷物種類一覧画面内の何れかのボタンがクリックされるまで、待機する（Ｓ５０５；ＮＯ）。そして、荷物種類一覧画面内の何れかのボタンがクリックされると（Ｓ５０５；ＹＥＳ）、ＣＰＵ１０ａは、ステップＳ５０６へ処理を進める。
【０１１８】
ステップＳ５０６では、ＣＰＵ１０ａは、荷物種類一覧画面においてクリックされたボタンに対応する荷物種類識別情報を検索条件として、メモリーカードＭＣ内のテーブルを検索する。
【０１１９】
次のステップＳ５０７では、ＣＰＵ１０ａは、メモリーカードＭＣ内のテーブルからレコードを検出できたか否かを、判別する。そして、メモリーカードＭＣ内のテーブルからレコードを検出できなかった場合（Ｓ５０７；ＮＯ）、ＣＰＵ１０ａは、ステップＳ５０８へ処理を進める。
【０１２０】
ステップＳ５０８では、ＣＰＵ１０ａは、検出不可通知画面を表示装置１０ｊに表示する。この検出不可通知画面には、指定された種類の荷物情報がメモリーカードＭＣ内のテーブルに存在しない旨が、記述されている。また、この検出不可通知画面には、この検出不可通知画面内の記述内容を読み終えた際にキー入力装置１０ｋのキーボード上の決定キーを押下するように指示する旨が、記述されている。
【０１２１】
次のステップＳ５０９では、ＣＰＵ１０ａは、決定キーが押下されるまで待機する（Ｓ５０９；ＮＯ）。そして、決定キーが押下されると（Ｓ５０９；ＹＥＳ）、ＣＰＵ１０ａは、箱検索作業処理を終了し、図６の制御処理のステップＳ１０１へ処理を戻す。
【０１２２】
一方、ステップＳ５０７において、メモリーカードＭＣ内のテーブルからレコードを検出できた場合（Ｓ５０７；ＹＥＳ）、ＣＰＵ１０ａは、ステップＳ５１０へ処理を進める。
【０１２３】
ステップＳ５１０では、ＣＰＵ１０ａは、検出された各レコード中のファイル名に基づいて、各荷物画像データをメモリーカードＭＣから読み出す。
【０１２４】
次のステップＳ５１１では、ＣＰＵ１０ａは、ステップＳ５１０において読み出した各荷物画像データに基づいて、荷物選択画面を表示装置１０ｊに表示する。図１８は、この荷物選択画面３４の一例を示す図である。図１８の荷物選択画面３４は、ステップＳ５１０においてメモリーカードＭＣから読み出した各荷物画像データと同じ数のボタン３４ａを、含んでいる。各ボタン３４ａには、それぞれ、ステップＳ５１０において読み出された各荷物画像データに基づく荷物画像が、描かれている。
【０１２５】
次のステップＳ５１２では、ＣＰＵ１０ａは、図１８に示されるような荷物選択画面３４中の何れかのボタンがクリックされるまで、待機する（Ｓ５１２；ＮＯ）。そして、図１６の荷物選択画面３４中の何れかのボタンがクリックされると（Ｓ５１２；ＹＥＳ）、ＣＰＵ１０ａは、ステップＳ５１３へ処理を進める。
【０１２６】
ステップＳ５１３では、ＣＰＵ１０ａは、メモリーカードＭＣ内のテーブルを参照することによって、図１８の荷物選択画面においてクリックされたボタンに対応する荷物情報を特定する。
【０１２７】
次のステップＳ５１４では、ＣＰＵ１０ａは、フラッシュメモリ１０ｍ内の箱マスタテーブル１３を参照することによって、ステップＳ５１３において特定した荷物情報中の箱属性識別情報に対応する箱形態画像データ１４を、フラッシュメモリ１０ｍから読み出す。
【０１２８】
次のステップＳ５１５では、ＣＰＵ１０ａは、ステップＳ５１４において読み出した箱形態画像データ１４に基づいて、検索結果画面を表示装置１０ｊに表示する。図１９は、この検索結果画面３５の一例を示す図である。図１９の検索結果画面３５には、図１８の荷物選択画面３４において選択された荷物の荷物画像データに基づく荷物画像３５ａが、示されている。また、図１９の検索結果画面３５には、ステップＳ５１４において読み出した箱形態画像データ１４に基づく箱形態画像３５ｂが、示されている。この箱形態画像３５ｂは、選択された荷物が詰め込まれた段ボール箱の側面に施された形態である模様及び色を、示している。また、図１９の検索結果画面３５には、ステップＳ５１３において特定した荷物情報中の大きさ３５ｃが、記述されている。この大きさは、選択された荷物が詰め込まれた段ボール箱の大きさを、示している。さらに、図１９の検索結果画面３５には、ステップＳ５１３において特定した荷物情報中の部屋識別情報３５ｄが、記述されている。この部屋識別情報３５ｄは、選択された荷物が詰め込まれた段ボール箱が運び込まれている部屋の部屋識別情報を、示している。
【０１２９】
ＣＰＵ１０ａは、図１９に示されるような検索結果画面３５を表示装置１０ｊに表示した後、ステップＳ５１６へ処理を進める。なお、このステップＳ５１５を実行するＣＰＵ１０ａは、前述した表示部に相当する。
【０１３０】
ステップＳ５１６では、ＣＰＵ１０ａは、キー入力装置１０ｋのキーボード上の決定キーが押下されるまで、待機する（Ｓ５１６；ＮＯ）。そして、決定キーが押下されると（Ｓ５１６；ＹＥＳ）、ＣＰＵ１０ａは、箱検索作業処理を終了し、図６の制御処理のステップＳ１０１へ処理を戻す。
【０１３１】
一方、ステップＳ１０９において、図７のメニュー画面３１においてクリックされたボタンが箱検索作業ボタン３１ｄでなかった場合（Ｓ１０９；ＮＯ）、ＣＰＵ１０ａは、ステップＳ１１１へ処理を進める。
【０１３２】
ステップＳ１１１では、ＣＰＵ１０ａは、図７のメニュー画面３１においてクリックされたボタンが箱探索作業ボタン３１ｅであるか否かを、判別する。そして、図７のメニュー画面３１においてクリックされたボタンが箱探索作業ボタン３１ｅであった場合（Ｓ１１１；ＹＥＳ）、ＣＰＵ１０ａは、ステップＳ１１２へ処理を進める。
【０１３３】
ステップＳ１１２では、ＣＰＵ１０ａは、箱探索作業処理を実行する。図２０及び図２１は、この箱探索作業処理の内容を示すフローチャートである。なお、図２０及び図２１と図１６及び図１７とを比較して明らかなように、箱探索作業処理中のステップＳ６０１〜Ｓ６１３は、箱検索作業処理中のステップＳ５０１〜Ｓ５１３と同じ内容の処理となっている。従って、図２０及び図２１の箱探索作業処理中のステップＳ６０１〜Ｓ６１３の説明を省略する。なお、図１６及び図１７のステップＳ５０１〜Ｓ５１３，又は、図２０及び図２１のステップＳ６０１〜Ｓ６１３を実行するＣＰＵ１０ａは、前述した選択部及び特定部に相当する。
【０１３４】
ステップＳ６１３を実行することによって選択された荷物情報を特定すると、ＣＰＵ１０ａは、ステップＳ６１４へ処理を進める。
【０１３５】
ステップＳ６１４では、ＣＰＵ１０ａは、アンテナ操作指示画面を表示装置１０ｊに表示する。このアンテナ操作指示画面には、段ボール箱に貼り付けられている電子タグ２０に対してアンテナ１０ｈを近付けるように指示する旨が、記述されている。また、このアンテナ操作指示画面には、キー入力装置１０ｋのキーボード上の決定キーを押下することによって箱探索作業を終了できる旨が、記述されている。
【０１３６】
次のステップＳ６１５では、ＣＰＵ１０ａは、タグ情報読取装置１０ｇからタグ情報が通知されたか否かを、判別する。そして、タグ情報読取装置１０ｇからタグ情報が通知されていなかった場合（Ｓ６１５；ＮＯ）、ＣＰＵ１０ａは、ステップＳ６１６へ処理を進める。
【０１３７】
ステップＳ６１６では、ＣＰＵ１０ａは、キー入力装置１０ｋのキーボード上の決定キーが押下されたか否かを、判別する。そして、キー入力装置１０ｋのキーボード上の決定キーが押下されていなかった場合（Ｓ６１６；ＮＯ）、ＣＰＵ１０ａは、ステップＳ６１５へ処理を戻す。
【０１３８】
ステップＳ６１５，Ｓ６１６の処理ループの実行中、タグ情報読み取り装置１０ｇからタグ情報が通知された場合（Ｓ６１５；ＹＥＳ）、ＣＰＵ１０ａは、ステップＳ６１５からＳ６１７へ処理を分岐させる。
【０１３９】
ステップＳ６１７では、ＣＰＵ１０ａは、タグ情報読取装置１０ｇから通知されたタグ情報が、ステップＳ６１３において特定された荷物情報中の箱識別情報及び箱属性識別情報と一致するか否かを、判別する。そして、ＣＰＵ１０ａは、電子タグ２０から取得したタグ情報と事前に特定された箱識別情報及び箱属性識別情報とが一致していなかった場合（Ｓ６１７；ＮＯ）、ステップＳ６１５へ処理を戻し、電子タグ２０から取得したタグ情報と事前に特定された箱識別情報及び箱属性識別情報とが一致していた場合（Ｓ６１７；ＹＥＳ）、ステップＳ６１８へ処理を進める。
【０１４０】
ステップＳ６１８では、ＣＰＵ１０ａは、所定時間だけ警告音を出力するように音声出力装置１０ｆに指示する。指示後、ＣＰＵ１０ａは、ステップＳ６１５へ処理を戻す。なお、ステップＳ６１４〜Ｓ６１８を実行するＣＰＵ１０ａは、前述した出力部に相当する。
【０１４１】
また、ステップＳ６１５，Ｓ６１６の処理ループの実行中、キー入力装置１０ｋのキーボード上の決定キーが押下された場合（Ｓ６１６；ＹＥＳ）、ＣＰＵ１０ａは、ステップＳ６１６から処理を分岐させ、箱探索作業処理を終了し、図６の制御処理のステップＳ１０１へ処理を戻す。
【０１４２】
また、ステップＳ１１１において、図７のメニュー画面３１においてクリックされたボタンが箱探索作業ボタン３１ｅでなかった場合（Ｓ１１１；ＮＯ）、ＣＰＵ１０ａは、図７のメニュー画面３１上の終了ボタン３１ｆがクリックされたと判断して、制御処理を終了する。その後、ＣＰＵ１０ａは、所定の終了処理を実行した後、主電源を切断する。
【０１４３】
前述したような処理を実行するため、本実施形態の携帯型情報収集端末装置１０は、以下に説明するように、作用する。
【０１４４】
引越業者の作業員は、携帯型情報収集端末装置１０と多数の段ボール箱とを所持して、引っ越しを依頼してきた顧客の家屋を訪ねた後、携帯型情報収集端末装置１０の主電源を投入して、図７のメニュー画面３１を表示装置１０ｊに表示させる（Ｓ１０１）。
【０１４５】
次に、作業員は、図７のメニュー画面３１の作業員登録ボタン３１ａをクリックして、自分の作業員識別情報を携帯型情報収集端末装置１０に登録する（Ｓ１０１，Ｓ１０２，Ｓ１０３；ＹＥＳ，Ｓ１０４）。
【０１４６】
続いて、作業員は、顧客の家屋内にある荷物の梱包作業に取り掛かる。このとき、作業員は、メモリーカードＭＣをメモリーカードドライブ１０ｅのスロットに装着した後、図７のメニュー画面３１の荷物登録ボタン３１ｂをクリックして、図１０の荷物登録画面３２を表示装置１０ｊに表示させる（Ｓ１０１，Ｓ１０２，Ｓ１０３；ＮＯ，Ｓ１０５；ＹＥＳ，Ｓ１０６，Ｓ２０１；ＹＥＳ，Ｓ２０４）。
【０１４７】
そして、作業員は、図１０の荷物登録画面３２の箱番号設定ボタン３２ａをクリックして、荷物を詰め込む段ボール箱の電子タグ２０にアンテナ１０ｈを近付けることによって、箱識別情報を携帯型情報収集端末装置１０に設定し（Ｓ２０４，Ｓ２０５，Ｓ２０６；ＹＥＳ，Ｓ２０７）、部屋番号設定ボタン３２ｂをクリックして、その段ボール箱を運び込む引っ越し先の部屋の部屋識別情報を設定し（Ｓ２０４，Ｓ２０５，Ｓ２０６；ＮＯ，Ｓ２０８；ＹＥＳ，Ｓ２０９）、荷物種類設定ボタン３２ｃをクリックして、その段ボール箱に詰め込む荷物の種類を設定する（Ｓ２０４，Ｓ２０５，Ｓ２０６；ＮＯ，Ｓ２０８；ＮＯ，Ｓ２１０；ＹＥＳ）。
【０１４８】
その後、作業員は、荷物画像登録ボタン３２ｄをクリックして（Ｓ２０４，Ｓ２０５，Ｓ２０６；ＮＯ，Ｓ２０８；ＮＯ，Ｓ２１０；ＮＯ，Ｓ２１２；ＹＥＳ，Ｓ２１３）、その荷物を撮影し（Ｓ３０１；ＹＥＳ，Ｓ３０４〜Ｓ３１２）、必要に応じてコメントを登録する（Ｓ３１３〜Ｓ３１６）。このような荷物の登録（Ｓ３１７，Ｓ３１８）を、その段ボール箱に詰める数だけ繰り返した後、段ボール箱が一杯になったら、その段ボール箱の蓋を閉じ、その段ボール箱を運び込むべき引っ越し先の部屋の部屋識別情報を、その段ボール箱の上面に書き込む。
【０１４９】
そして、作業員は、別の段ボール箱を用意して、図１０の荷物登録画面３２の箱番号設定ボタン３２ａをクリックし、その段ボール箱の電子タグ２０にアンテナ１０ｈを近付けることによって、再度、箱識別情報を携帯型情報収集端末装置１０に設定する（Ｓ２０４，Ｓ２０５，Ｓ２０６；ＹＥＳ，Ｓ２０７）。
【０１５０】
こうして、荷物の登録と詰め込み作業とを繰り返すことによって荷物の梱包を終えると、作業員は、荷物が詰め込まれた段ボール箱をトラックに積み込んで引っ越し先の家屋へ輸送する。輸送中、作業員は、図７のメニュー画面３１のマージ作業ボタン３１ｃをクリックして、他の作業員が別の携帯型情報収集端末装置１０を使ってメモリーカードＭＣに蓄積した荷物情報及び荷物画像データを、一つのメモリーカードＭＣにマージする（Ｓ１０１，Ｓ１０２，Ｓ１０３；ＮＯ，Ｓ１０５；ＮＯ，Ｓ１０７；ＹＥＳ，Ｓ１０８，Ｓ４０１〜Ｓ４１０）。
【０１５１】
輸送後、作業員は、段ボール箱の上面に書き込まれた部屋識別情報に基づいて、各段ボール箱を引っ越し先の家屋の各部屋に運び込む。運び込みが完了した後、作業員が開梱作業を行う。開梱する際には、作業員は、部屋に収納しようとする荷物が詰め込まれた段ボール箱を探し出すこととなる。
【０１５２】
箱検索によって段ボール箱を探し出す場合には、作業員は、図７のメニュー画面３１の箱検索作業ボタン３１ｄをクリックし、部屋に収納しようとする荷物の種類を選択することによって荷物を抽出し、抽出された荷物の中から、部屋に収納しようとする荷物を選択する（Ｓ１０１，Ｓ１０２，Ｓ１０３；ＮＯ，Ｓ１０５；ＮＯ，Ｓ１０７；ＮＯ，Ｓ１０９；ＹＥＳ，Ｓ１１０，Ｓ５０１；ＹＥＳ，Ｓ５０４〜Ｓ５０６，Ｓ５０７；ＹＥＳ，Ｓ５１０〜Ｓ５１３）。すると、その荷物が詰め込まれた段ボール箱の特徴である全体の大きさ，側面の模様及び色彩が、表示装置１０ｊに表示される（Ｓ５１５）。作業員は、表示された段ボール箱の特徴に基づいて、段ボール箱を探し出し、探し出した段ボール箱を開梱して、荷物を部屋に収納する。
【０１５３】
一方、箱探索によって段ボール箱を探し出す場合には、作業員は、図７のメニュー画面３１の箱探索作業ボタン３１ｅをクリックし、部屋に収納しようとする荷物の種類を選択することによって荷物を抽出し、抽出された荷物の中から、部屋に収納しようとする荷物を選択する（Ｓ１０１，Ｓ１０２，Ｓ１０３；ＮＯ，Ｓ１０５；ＮＯ，Ｓ１０７；ＮＯ，Ｓ１０９；ＮＯ，Ｓ１１１；ＹＥＳ，Ｓ１１２，Ｓ６０１；ＹＥＳ，Ｓ６０４〜Ｓ６０６，Ｓ６０７；ＹＥＳ，Ｓ６１０〜Ｓ６１３）。すると、アンテナ１０ｈを用いて段ボール箱を探し出せるようになる（Ｓ６１４〜Ｓ６１８）。すなわち、作業員は、アンテナ１０ｈを持って各段ボール箱に順に近付ける。そして、警告音が音声出力装置１０ｆのスピーカから出力されれば、作業員は、そのときアンテナ１０ｈに最も近い段ボール箱を、目的の荷物が詰め込まれた段ボール箱として認識することができる。作業員は、このようにして探し出した段ボール箱を開梱して、荷物を部屋に収納する。
【０１５４】
以上に説明したように、本実施形態の携帯型情報収集端末装置１０によれば、段ボール箱が運び込まれた引っ越し先において、余計な手間や労力や時間を掛けなくても、任意の荷物が詰め込まれた段ボール箱を簡単に発見することができる。
【０１５５】
なお、前述した本実施形態のマージ作業においては、メモリーカードＭＣをメモリーカードドライブ１０ｅのスロットに順次装着することによって、他の携帯型情報収集端末装置１０を用いて収集された荷物画像データとテーブル内のレコードとを、一つの携帯型情報収集端末装置１０に収集していたが、これに限定されるものではない。例えば、他の携帯型情報収集端末装置１０との間で赤外線通信をすることによって、荷物画像データとテーブル内のレコードとを、一つの携帯型情報収集端末装置１０に収集しても良い。
【０１５６】
（付記１）
箱を識別するための箱識別情報とその箱の形態を示す箱形態画像の箱形態画像データとを対応付けて記憶する画像保持部，
何れかの箱識別情報とその箱に詰め込まれた荷物を定義する荷物情報とを受け付ける情報入力部，
前記情報入力部が受け付けた前記箱識別情報と前記荷物情報とを対応付けて記憶する記憶部，
前記記憶部内の前記荷物情報のうちの何れかを操作者に選択させる選択部，
前記選択部において選択された前記荷物情報に対応する箱識別情報を前記記憶部内の前記各箱識別情報の中から特定する特定部，及び、
前記特定部において特定された前記箱識別情報に対応する箱形態画像データを前記画像保持部の中から特定し、その箱形態画像データに基づいて箱形態画像を表示する表示部
を備えることを特徴とする携帯型情報収集端末装置。
【０１５７】
（付記２）
箱が有する電子タグに対して所定距離以下に接近した場合に、その箱を識別するための箱識別情報をこの電子タグから無線にて受信する受信部，
前記受信部に対して前記箱識別情報を発信した電子タグを有する箱に対して詰め込まれた荷物を定義する荷物情報を受け付ける情報入力部，
前記受信部が受信した箱識別情報と前記情報入力部において受け付けられた荷物情報とを対応付けて記憶する記憶部，
前記記憶部内の前記荷物情報のうちの何れかを操作者に選択させる選択部，
前記選択部において選択された前記荷物情報に対応する箱識別情報を前記記憶部内の前記各箱識別情報の中から特定する特定部，及び、
前記特定部により特定された箱識別情報を有する電子タグに対し、前記受信部が前記所定距離以下に接近した場合に警告を出力する出力部
を備えることを特徴とする携帯型情報収集端末装置。
【０１５８】
（付記３）
前記電子タグは、電磁誘導のためのコイルアンテナを有する
ことを特徴とする付記２記載の携帯型情報収集端末装置。
【０１５９】
（付記４）
前記選択部は、
荷物の種類を定義する荷物種類情報のうちの何れかを操作者に指定させ、
指定された荷物種類情報に対応する荷物情報を前記記憶部内の前記各荷物情報の中から抽出し、抽出した各荷物情報のうちの何れかを操作者に選択させる
ことを特徴とする付記１，２又は３記載の携帯型情報収集端末装置。
【０１６０】
（付記５）
他の携帯型情報収集端末装置の記憶部に記録される荷物情報及び箱識別情報を取得する取得部，及び、
前記取得部によって取得された荷物情報及び箱識別情報を、前記記憶部内の荷物情報及び箱識別情報に対してマージするマージ部
とを更に備える付記１乃至４の何れかに記載の携帯型情報収集端末装置。
【０１６１】
（付記６）
前記取得部は、赤外線通信によって、他の携帯型情報収集端末装置から荷物情報及び箱識別情報を取得する
ことを特徴とする付記５記載の携帯型情報収集端末装置。
【０１６２】
（付記７）
携帯型情報収集端末を、
箱を識別するための箱識別情報とその箱の形態を示す箱形態画像の箱形態画像データとを対応付けて記憶装置に記録する画像保持手段，
何れかの箱識別情報とその箱に詰め込まれた荷物を定義する荷物情報とを入力装置において受け付ける情報入力手段，
前記情報入力手段が受け付けた前記箱識別情報と前記荷物情報とを対応付けて前記記憶装置に記録する記憶手段，
前記記憶装置内の前記荷物情報の中から選択された荷物情報を前記入力装置において受け付ける選択手段，
前記選択手段において受け付られた荷物情報に対応する箱識別情報を前記記憶装置内の前記各箱識別情報の中から特定する特定手段，及び、
前記特定手段において特定された前記箱識別情報に対応する箱形態画像データを前記記憶装置の中から特定し、その箱形態画像データに基づいて箱形態画像を表示装置に表示する表示手段
として機能させる
ことを特徴とするプログラム。
【０１６３】
（付記８）
携帯型情報収集端末を、
箱が有する電子タグに対してアンテナが所定距離以下に接近した場合に、その箱を識別するための箱識別情報をこの電子タグからアンテナ及び受信装置を介して受信する受信手段，
前記受信手段に対して前記箱識別情報を発信した電子タグを有する箱に対して詰め込まれた荷物を定義する荷物情報を入力装置において受け付ける情報入力手段，
前記受信手段が受信した箱識別情報と前記情報入力手段において受け付けられた荷物情報とを対応付けて記憶装置に記憶する記憶手段，
前記記憶装置内の前記荷物情報の中から選択された荷物情報を前記入力装置において受け付ける選択手段，
前記選択手段において受け付られた荷物情報に対応する箱識別情報を前記記憶装置内の前記各箱識別情報の中から特定する特定手段，及び、
前記特定手段により特定された箱識別情報を有する電子タグに対し、前記アンテナが前記所定距離以下に接近した場合に警告を出力する出力手段
として機能させる
ことを特徴とするプログラム。
【０１６４】
（付記９）
携帯型情報収集端末を、
箱を識別するための箱識別情報とその箱の形態を示す箱形態画像の箱形態画像データとを対応付けて記憶装置に記録する画像保持手段，
何れかの箱識別情報とその箱に詰め込まれた荷物を定義する荷物情報とを入力装置において受け付ける情報入力手段，
前記情報入力手段が受け付けた前記箱識別情報と前記荷物情報とを対応付けて前記記憶装置に記録する記憶手段，
前記記憶装置内の前記荷物情報の中から選択された荷物情報を前記入力装置において受け付ける選択手段，
前記選択手段において受け付られた荷物情報に対応する箱識別情報を前記記憶装置内の前記各箱識別情報の中から特定する特定手段，及び、
前記特定手段において特定された前記箱識別情報に対応する箱形態画像データを前記記憶装置の中から特定し、その箱形態画像データに基づいて箱形態画像を表示装置に表示する表示手段
として機能させるプログラム
を格納したことを特徴とするコンピュータ可読媒体。
【０１６５】
（付記１０）
携帯型情報収集端末を、
箱が有する電子タグに対してアンテナが所定距離以下に接近した場合に、その箱を識別するための箱識別情報をこの電子タグからアンテナ及び受信装置を介して受信する受信手段，
前記受信手段に対して前記箱識別情報を発信した電子タグを有する箱に対して詰め込まれた荷物を定義する荷物情報を入力装置において受け付ける情報入力手段，
前記受信手段が受信した箱識別情報と前記情報入力手段において受け付けられた荷物情報とを対応付けて記憶装置に記憶する記憶手段，
前記記憶装置内の前記荷物情報の中から選択された荷物情報を前記入力装置において受け付ける選択手段，
前記選択手段において受け付られた荷物情報に対応する箱識別情報を前記記憶装置内の前記各箱識別情報の中から特定する特定手段，及び、
前記特定手段により特定された箱識別情報を有する電子タグに対し、前記アンテナが前記所定距離以下に接近した場合に警告を出力する出力手段
として機能させるプログラム
を格納したことを特徴とするコンピュータ可読媒体。
【０１６６】
（付記１１）
箱を識別するための箱識別情報とその箱の形態を示す箱形態画像の箱形態画像データとを対応付けて携帯型情報収集端末装置の記憶装置に記録しておくとともに、何れかの箱識別情報とその箱に詰め込まれた荷物を定義する荷物情報とが携帯型情報収集端末装置の入力装置に入力された場合には、携帯型情報収集端末装置の制御装置が、その箱識別情報と荷物情報とを対応付けて記憶装置に蓄積し、
前記記憶装置内の前記荷物情報の中から選択された荷物情報が前記入力装置に入力された際には、前記制御装置が、その荷物情報に対応する箱識別情報を、前記記憶装置に蓄積しておいた前記各箱識別情報の中から特定した後、特定した前記箱識別情報に対応する箱形態画像データを、記録しておいた箱形態画像データの中から特定し、特定したその箱形態画像データに基づいて箱形態画像を表示装置に表示する
ことを特徴とする引越荷物管理方法。
【０１６７】
（付記１２）
箱が有する電子タグに対して携帯型情報収集端末装置のアンテナが所定距離以下に接近することによって、携帯型情報収集端末装置の受信装置が、その箱を識別するための箱識別情報をこの電子タグからアンテナを介して受信するとともに、携帯型情報収集端末装置が、その箱に対して詰め込まれた荷物を定義する荷物情報を入力装置において受け付けた場合に、制御装置が、受信した箱識別情報と、受け付けた荷物情報とを対応付けて記憶装置に蓄積し、
前記記憶装置内の前記荷物情報の中から選択された荷物情報が前記入力装置に入力された際には、前記制御装置が、その荷物情報に対応する箱識別情報を、前記記憶装置に蓄積しておいた前記各箱識別情報の中から特定した後、特定した箱識別情報を有する電子タグに対して前記アンテナが前記所定距離以下に接近すると、警告を出力する
ことを特徴とする引越荷物管理方法。
【図面の簡単な説明】
【０１６８】
【図１】本発明の実施形態である携帯型情報収集端末装置の内部構成図
【図２】携帯型情報収集端末装置の外観図
【図３】箱マスタテーブルのデータ構造の一例を示す図
【図４】本実施形態において用意される多数の段ボール箱のうちの一つの外観図
【図５】電子タグの内部構成図
【図６】制御処理の内容を示すフローチャート
【図７】メニュー画面の一例を示す図
【図８】荷物登録処理の内容を示すフローチャート
【図９】荷物登録処理の内容を示すフローチャート
【図１０】荷物登録画面の一例を示す図
【図１１】荷物種類設定画面の一例を示す図
【図１２】荷物画像登録処理の内容を示すフローチャート
【図１３】荷物画像登録処理の内容を示すフローチャート
【図１４】メモリーカード内のテーブルのデータ構造の一例を示す図
【図１５】マージ作業処理の内容を示すフローチャート
【図１６】箱検索作業処理の内容を示すフローチャート
【図１７】箱検索作業処理の内容を示すフローチャート
【図１８】荷物選択画面の一例を示す図
【図１９】検索結果画面の一例を示す図
【図２０】箱探索作業処理の内容を示すフローチャート
【図２１】箱探索作業処理の内容を示すフローチャート
【符号の説明】
【０１６９】
１０    携帯型情報収集端末装置
１０ａ  ＣＰＵ
１０ｂ  ＳＲＡＭ
１０ｃ  カメラ装置
１０ｄ  画像処理装置
１０ｅ  メモリーカードドライブ
１０ｆ  音声出力装置
１０ｇ  タグ情報読取装置
１０ｈ  アンテナ
１０ｉ  赤外線通信装置
１０ｊ  表示装置
１０ｋ  キー入力装置
１０ｍ  フラッシュメモリ
１１    制御プログラム
１２    ワークテーブル
１３    箱マスタテーブル
１４    箱形態画像データ
２０    電子タグ
２０ａ  不揮発性メモリ
２０ｂ  コイルアンテナ
２０ｃ  通信制御回路
３１    メニュー画面
３２    荷物登録画面
３３    荷物種類設定画面
３４    荷物選択画面
３５    検索結果画面
【図１】
2006206328.tif 000003
【図２】
2006206328.tif 000004
【図３】
2006206328.tif 000005
【図４】
2006206328.tif 000006
【図５】
2006206328.tif 000007
【図６】
2006206328.tif 000008
【図７】
2006206328.tif 000009
【図８】
2006206328.tif 000010
【図９】
2006206328.tif 000011
【図１０】
2006206328.tif 000012
【図１１】
2006206328.tif 000013
【図１２】
2006206328.tif 000014
【図１３】
2006206328.tif 000015
【図１４】
2006206328.tif 000016
【図１５】
2006206328.tif 000017
【図１６】
2006206328.tif 000018
【図１７】
2006206328.tif 000019
【図１８】
2006206328.tif 000020
【図１９】
2006206328.tif 000021
【図２０】
2006206328.tif 000022
【図２１】
2006206328.tif 000023